(57)【要約】【課題】健康的な肌色をもつ顔画像を入手する。【解決手段】写真撮影装置１００はカメラＣと、ＬＣＤ表示部Ｍと、ストロボユニットＳと、制御部１１とを備える。制御部１１はカメラＣにより得られた予備画像情報に基づいて顔色を認識する顔色認識部１１ａと、顔色と発光色との関係を示すテーブルからＬＣＤ表示部Ｍからの補助光の発光色を定める発光色決定部１１ｂと、発光色決定部１１ｂで定められた発光色をもつ補助光をＬＣＤ表示部Ｍから照射させて顔画像情報を得る顔画像入手部１１ｃとを有する。【選択図】図１
2019144323.tif 000002
【特許請求の範囲】
【請求項１】
撮影室を有し、当該撮影室内の被写体を撮影する写真撮影装置において、
前記撮影室内の前記被写体の少なくとも顔部分を撮影する撮影部と、
前記撮影室内の前記被写体に光を照射する光源ユニットと、
前記撮影室内の前記被写体に、前記光源ユニットと独立して前記被写体に補助光を照射する補助光源ユニットと、
前記撮影部、前記光源ユニットおよび前記補助光源ユニットを制御する制御部とを備え、
前記制御部は、前記撮影部により得られた予備画像情報に基づいて前記被写体の顔部分の顔色を認識する顔色認識部と、予め求められた顔色と補助光の発光色との関係を示すテーブルから、前記顔色認識部で求めた顔色に基づいて前記補助光の発光色を定める発光色決定部と、前記光源ユニットから光を照射するとともに前記発光色決定部で定められた発光色の補助光を前記補助光源ユニットから照射して前記撮影部により顔画像情報を入手する顔画像入手部とを有する、写真撮影装置。
【請求項２】
前記撮影部により得られる予備画像情報は、静止画像情報である、請求項１記載の写真撮影装置。
【請求項３】
前記撮影部により得られる予備画像情報は、動画像情報である、請求項１記載の写真撮影装置。
【請求項４】
前記補助光源ユニットは、前記撮影室内の前記被写体に対して撮影に関する所定の情報を表示する表示部からなる、請求項１乃至３のいずれか記載の写真撮影装置。
【請求項５】
前記表示部はＬＣＤ（Liquid Crystal Display）を含む、請求項４記載の写真撮影装置。
【請求項６】
前記表示部の前記ＬＣＤは操作機能をもつタッチパネルからなる、請求項５記載の写真撮影装置。
【請求項７】
撮影室を有し、当該撮影室内の被写体を撮影する写真撮影装置であって、
前記撮影室内の前記被写体の少なくとも顔部分を撮影する撮影部と、
前記撮影室内の前記被写体に光を照射する光源ユニットと、
前記撮影室内の前記被写体に、前記光源ユニットと独立して前記被写体に補助光を照射する補助光源ユニットと、
前記撮影部、前記光源ユニットおよび前記補助光源ユニットを制御する制御部とを備えた写真撮影装置の制御方法において、
前記撮影部により得られた予備画像情報に基づいて前記被写体の顔部分の顔色を認識する工程と、
予め求められた顔色と補助光の発光色との関係を示すテーブルを用いて、認識された前記被写体の顔部分の顔色に基づいて前記補助光の発光色を定める工程と、
前記光源ユニットから光を照射するとともに前記定められた発光色の補助光を前記補助光源ユニットから照射して前記撮影部により顔画像情報を入手する工程とを備えた、写真撮影装置の制御方法。
【発明の詳細な説明】
【技術分野】
【０００１】
本発明は、写真撮影装置、及び写真撮影装置の制御方法に関する。
【背景技術】
【０００２】
従来、免許証やパスポート、履歴書等に貼付するための写真等を撮影するためのボックス型の写真撮影装置が知られている。この写真撮影装置においては、ユーザー、すなわち被写体の顔部分が撮影されるとともに、得られた被写体の顔画像がプリントされる。
【０００３】
そして、例えば、プリクラや証明写真ボックスなどのセルフポートレイト撮影機として、カメラと、光源ユニットと、カメラの周辺に設けられ撮影画像をプレビューさせたり撮影前後のガイダンスを表示するＬＣＤ等の表示部とを有する写真撮影装置がある（例えば、特許文献１参照）。
【０００４】
ところで、このような写真撮影装置において、光源ユニットから光をユーザーの顔部分に照射させるとともに、当該ＬＣＤが発する光を補助光としてユーザーの顔部分に照射し、ユーザーの顔部分に影が入ることを防止する技術が検討されている。
【先行技術文献】
【特許文献】
【０００５】
【特許文献１】特許第４６５０６７１号
【発明の概要】
【発明が解決しようとする課題】
【０００６】
また、ユーザーによっては、健康的な肌色となるような顔画像を入手したいという希望があり、このような場合、表示部から照射される補助光の発光色を種々変化させることにより、ユーザーの顔部分の色を健康的な肌色となるよう変えることができれば都合が良い。
【０００７】
本発明はこのような点を考慮してなされたものであり、健康的な肌色をもつ顔画像を入手可能な写真撮影装置及びその制御方法を提供することを目的とする。
【課題を解決するための手段】
【０００８】
本発明は、撮影室を有し、当該撮影室内の被写体を撮影する写真撮影装置において、前記撮影室内の前記被写体の少なくとも顔部分を撮影する撮影部と、前記撮影室内の前記被写体に光を照射する光源ユニットと、前記撮影室内の前記被写体に、前記光源ユニットと独立して前記被写体に補助光を照射する補助光源ユニットと、前記撮影部、前記光源ユニットおよび前記補助光源ユニットを制御する制御部とを備え、前記制御部は、前記撮影部により得られた予備画像情報に基づいて前記被写体の顔部分の顔色を認識する顔色認識部と、予め求められた顔色と補助光の発光色との関係を示すテーブルから、前記顔色認識部で求めた顔色に基づいて前記補助光の発光色を定める発光色決定部と、前記光源ユニットから光を照射するとともに前記発光色決定部で定められた発光色の補助光を前記補助光源ユニットから照射して前記撮影部により顔画像情報を入手する顔画像入手部とを有する、写真撮影装置である。
【０００９】
本発明は、前記撮影部により得られる予備画像情報は、静止画像情報である、写真撮影装置である。
【００１０】
本発明は、前記撮影部により得られる予備画像情報は、動画像情報である、写真撮影装置である。
【００１１】
本発明は、前記補助光源ユニットは、撮影室内の被写体に対して撮影に関する所定の情報を表示する表示部からなる、写真撮影装置である。
【００１２】
本発明は、前記表示部はＬＣＤ（Liquid Crystal Display）を含む、写真撮影装置である。
【００１３】
本発明は、前記表示部の前記ＬＣＤは操作機能をもつタッチパネルからなる、写真撮影装置である。
【００１４】
本発明は、撮影室を有し、当該撮影室内の被写体を撮影する写真撮影装置であって、前記撮影室内の前記被写体の少なくとも顔部分を撮影する撮影部と、前記撮影室内の前記被写体に光を照射する光源ユニットと、前記撮影室内の前記被写体に、前記光源ユニットと独立して前記被写体に補助光を照射する補助光源ユニットと、前記撮影部、前記光源ユニットおよび前記補助光源ユニットを制御する制御部とを備えた写真撮影装置の制御方法において、前記撮影部により得られた予備画像情報に基づいて前記被写体の顔部分の顔色を認識する工程と、予め求められた顔色と補助光の発光色との関係を示すテーブルを用いて、認識された前記被写体の顔部分の顔色に基づいて前記補助光の発光色を定める工程と、前記光源ユニットから光を照射するとともに前記定められた発光色の補助光を前記補助光源ユニットから照射して前記撮影部により顔画像情報を入手する工程とを備えた、写真撮影装置の制御方法である。
【発明の効果】
【００１５】
本発明によれば、健康的な肌色をもつ顔画像を入手することができる。
【図面の簡単な説明】
【００１６】
【図１】図１は、第１の実施の形態に係る写真撮影装置のシステム構成の一例を示す図である。
【図２】図２は、図１に示す写真撮影装置にユーザーが位置した場合の各構成の配置の一例を示す図である。
【図３】図３は、図２に示す写真撮影装置のストロボユニットＳ及びＬＣＤ表示部の光と、ユーザーＸとに注目した模式図である。
【図４】図４は、図１、図２に示す写真撮影装置の外観の一例を示す図である。
【図５Ａ】図５Ａは、ストロボユニットとＬＣＤ表示部の作用を示す図。
【図５Ｂ】図５Ｂは、ストロボユニットとＬＣＤ表示部の作用を示す図。
【図６】図６は、第１の実施の形態に係る写真撮影装置の動作フローを示す図。
【図７】図７は、顔部分の顔色と、補助光の発光色との関係を示すテーブル。
【図８】図８は、第２の実施の形態に係る写真撮影装置の動作フローを示す図。
【発明を実施するための形態】
【００１７】
＜第１の実施の形態＞
図１は、第１の実施の形態に係る写真撮影装置１００のシステム構成の一例を示す図である。また、図２は、図１に示す写真撮影装置１００にユーザーが位置した場合の各構成の配置の一例を示す図である。また、図３は、図２に示す写真撮影装置１００のストロボユニットＳ及びＬＣＤ画像表示部Ｍの光と、ユーザーＸとに注目した模式図である。また、図４は、図１、図２に示す写真撮影装置１００の外観の一例を示す図である。
【００１８】
なお、図２においては、簡単のため、図１に示す制御部１１、記憶部１６、及びＩ／Ｏユニット３１は、省略されている。
【００１９】
図２、図４に示すように、写真撮影装置１００はボックス形状を有し、ボックス形状を有する写真撮影装置１００は、ボックス本体１００ａと、ボックス本体１００ａ内に設けられ、ボックス本体１００ａ内を収納空間１００ｆと撮影空間（撮影室）１００ｇとに区画する内壁１００ｄと、を備えている。なお、このボックス本体１００ａ内の撮影空間１００ｇの天井の高さＨａは、例えば、床から１８０ｃｍ程度である（図２）。
【００２０】
また、収納空間１００ｆ内には、制御部１１と、カメラ（撮影部）Ｃと、検知センサ１３と、入力装置（操作部）１４と、ＬＣＤ（Liquid Crystal Display）表示部（表示装置）Ｍと、記憶部１６と、プリンタ１７と、Ｉ／Ｏ（Input/Output）ユニット３１と、スピーカ２２と、キャッシャー２３と、ストロボユニット（光源ユニット）Ｓとが設けられている。
【００２１】
このうちＬＣＤ表示部Ｍは、入力機能をもつタッチパネルからなり、このためＬＣＤ表示部Ｍは入力装置１４と一体に構成されている。また、検知センサ１３とＬＣＤ表示部Ｍと、スピーカ２２と、キャッシャー２３と、ストロボユニットＳは内壁１００ｄ上に設けられて、撮影室１００ｇ側へ露出している。
【００２２】
また、図４に示すように、ボックス本体１００ａの外面には、プリンタ１７によりプリントされた写真を取り出す取出口１００ｃ、およびユーザーＸがボックス本体１００ａ内部に出入する出入口１００ｅが設けられている。
【００２３】
また、図４に示すように、出入口１００ｅには、写真撮影を行う際に外部からの光を遮断する遮光カーテン１００ｂが取り付けられている。
【００２４】
そして、図２に示すように、撮影空間１００ｇ内には、写真撮影中にユーザーＸが座る椅子Ｙが昇降可能に設置されている。
【００２５】
また、上述のように収納空間１００ｆ内には、内壁１００ｄに設けられた撮影窓２１（後述）を介して被写体（ユーザーＸ）を撮影して画像情報を得るカメラ（撮影装置）Ｃと、画像情報に対応する被写体画像をプリントしてユーザーＸに証明写真を提供するプリンタ１７とが配置されている。
【００２６】
なお「画像情報」とは、撮影により得られた被写体画像の電子情報のことである。
【００２７】
また、上述のように内壁１００ｄには、撮影窓２１およびＬＣＤ表示部Ｍが設けられており、このうち撮影窓２１は、収納空間１００ｆ内に設置されたカメラ（撮影部）Ｃによって撮影空間１００ｇ内のユーザーＸを撮影する際の窓となる部分であり、椅子Ｙに腰掛けているユーザーＸの顔部分の高さ（Ｈｂ）に対応する高さに設けられている。
【００２８】
なお、椅子Ｙは、椅子Ｙに腰掛けているユーザーＸの顔部分の位置（内壁１００ｄからの距離）Ｄａが、例えば、内壁１００ｄから５５ｃｍ程度になるように設定されている（図２）。また、ユーザーＸの顔部分と背面との間の距離は、Ｄｂとなっている。なお、上述のように、ユーザーＸの頭部の高さは、撮影時に椅子Ｙを昇降することにより調整される。
【００２９】
また、撮影窓２１の近傍には、ユーザーＸが撮影空間１００ｇ内に入ってきたことを検知する検知センサ１３が設けられている。
【００３０】
そして、ユーザーＸの入室が検知センサ１３により検知されると、ＬＣＤ表示部Ｍおよびスピーカ２２によるガイダンスを開始するようになっている。
【００３１】
ここで、図１に示す制御部１１は、ＣＰＵ（Central Processing Unit）、ＲＡＭ（Random Access Memory）等から構成される。
【００３２】
この制御部１１は、記憶部１６に格納されているシステムプログラムや、画像撮影処理プログラム、画像処理プログラム等の各種プログラムを読み出してＲＡＭに展開し、当該プログラムに従って各部の動作を集中制御するようになっている。
【００３３】
また、撮影部であるカメラＣは、光学レンズ、ＣＣＤ（Charge Coupled Device）等の光学センサ、Ａ／Ｄ（Analog/Digital）変換部等で構成されている。
【００３４】
このカメラＣは、撮影時には光学レンズを介して入力される被写体像を光学センサにより光電変換して画像信号（アナログ）を生成する。そして、当該Ａ／Ｄ変換部によりアナログ画像信号からデジタル画像データを得て、当該デジタル画像データを制御部１１に出力するようになっている。
【００３５】
なお、このカメラＣの撮影の方向Ｚｃの中心の高さＨｂは、ユーザーＸの頭部の位置程度の高さであり、例えば、床から１２０ｃｍ程度である（図２）。なお、上述のように、ユーザーＸの頭部の高さは、撮影時に椅子Ｙを昇降することにより調整される。
【００３６】
このように、撮影部であるカメラＣは、収納空間１００ｆの内壁１００ｄ側に設けられ、撮影空間（撮影室）１００ｇ内に位置するユーザーＸを撮影して画像情報を得るようになっている。
【００３７】
また、検知センサ１３は、画像処理装置１の撮影室（撮影空間１００ｇ）内にユーザーＸが入室したことを検知する光学センサ等であり、その検知信号を制御部１１に出力するようになっている。
【００３８】
また、操作部である入力装置１４は、ＬＣＤ表示部Ｍと一体に構成されるタッチパネルからなり、ユーザーＸが撮影に関する操作入力をするためのものである。
【００３９】
この入力装置１４は、写真種類を選択するための写真種選択スイッチ、撮影開始を指示するための撮影スイッチ、撮影画像のプリント出力を指示するためのプリントスイッチ等の各種機能キーを備える。
【００４０】
この入力装置１４は、操作されたキーに対応する操作信号を制御部１１に出力するようになっている。入力装置１４を一体に組み込んだタッチパネル型のＬＣＤ表示部Ｍは、内壁１００ｄのうちカメラＣよりも下方に設置されている。なおＬＣＤ表示部Ｍについては後述する。
【００４１】
また、記憶部１６は、システムプログラムの他、顔画像撮影処理プログラム、画像処理プログラム等の各種処理プログラム及び各プログラムで処理されたデータ等を記憶するようになっている。また記憶部１６には、後述のように予め定められたユーザーの顔色と、ＬＣＤ表示部Ｍから照射される補助光の発光色との関係を示すテーブルが格納されている。
【００４２】
そして、プリンタ１７は、制御部１１から入力された画像データに基づいてプリント出力を行う（すなわち、カメラ（撮影部）Ｃが取得した画像情報に対応する被写体画像をプリントする）ようになっている。
【００４３】
また、図１に示すＩ／Ｏユニット３１は、制御部１１と、スピーカ２２、キャッシャー２３、ストロボユニットＳとの間で情報のやり取りを仲介するインターフェイスである。
【００４４】
このＩ／Ｏユニット３１は、制御部１１からの制御信号をスピーカ２２、キャッシャー２３、ストロボユニットＳに送信するとともに、スピーカ２２、キャッシャー２３、ストロボユニットＳからのステータス信号等を制御部１１に出力するようになっている。
【００４５】
そして、スピーカ２２は、Ｉ／Ｏユニット３１を介して制御部１１から入力されるガイド用アナウンスの音声信号を出力するようになっている。
【００４６】
また、図２に示すように、内壁１００ｄには、カメラＣ（撮影窓２１）よりも上方に位置するように、撮影用のストロボユニット（光源ユニット）Ｓが設けられている。このストロボユニットＳは、椅子Ｙに座っているユーザーＸの頭部に、ユーザーＸの前方上方から、光を照射するようになっている。
【００４７】
このストロボユニットＳは、制御部１１から指示された発光タイミング、発光量で発光を行うようになっている。
【００４８】
ここで、図２に示すように、ストロボユニットＳの高さＨｅは、カメラＣが配置される位置よりも上の高さであり、例えば、床から１４５ｃｍ程度である（図２）。そして、このストロボユニットＳの高さＨｄは、例えば、２０ｃｍ程度である。
【００４９】
このようにストロボユニットＳは、カメラ（撮影部）Ｃよりも上方に位置するように内壁１００ｄに設けられ、少なくともユーザーＸの頭部に、前方上方から、光を照射するためのものである。
【００５０】
また、図２に示すように、撮影窓２１の近傍には、撮影料金を精算するためのキャッシャー２３が設けられている。
【００５１】
このキャッシャー２３は、硬貨や紙幣の入金口、釣銭の返金口等（図示せず）を備えた金銭登録機である。このキャッシャー２３は、入金口から入金された金額を検出して釣銭の金額を算出し、算出された釣銭金額分の硬貨又は紙幣を返金口に排出して料金精算を行うようになっている。また収納空間１００ｆ内には入手した画像情報をネットワークを介して外部サーバに送るＷｉＦｉルータ４０が設けられている。
【００５２】
また、上述のように収納空間１００ｆ内には、操作手順やその他撮影に関するガイド映像等を表示するＬＣＤ表示部Ｍが設置されている（図２参照）。
【００５３】
このＬＣＤ表示部Ｍは、ＬＣＤ（Liquid Crystal Display）の画面を備える。
【００５４】
このＬＣＤ表示部Ｍは、制御部１１からの制御信号に従って、撮影手順を説明するガイド画面、写真種類を選択するための選択画面等の各種操作画面や、カメラ（撮像装置）Ｃにより撮影されたユーザーＸの顔画像等を表示するようになっている。
【００５５】
また、ＬＣＤ表示部Ｍには、上述のように、入力装置１４が組み込まれており、撮影に関する情報をユーザーＸに向けて表示するとともに、ユーザーＸが撮影に関する操作入力を行うようになっている。このＬＣＤ表示部Ｍは、例えば、入力装置（操作部）１４と併用された操作用タッチパネルである。
【００５６】
ＬＣＤ表示部Ｍは、カメラ（撮影部）Ｃよりも下方に位置するように内壁１００ｄに設けられ、撮影に関する所定の情報を表示する。
【００５７】
なお、撮影に関する情報は、ＬＣＤ表示部Ｍに表示されるとともに、ＬＣＤ表示部Ｍの下方に設けられたスピーカ２２を介して音声でユーザーＸに提供される。
【００５８】
なお、このＬＣＤ表示部Ｍの画面（ＬＣＤ）は、例えば、横幅が２４０ｍｍ、縦幅が２００ｍｍの大きさを有する。そして、このＬＣＤ表示部Ｍの画面の中心の高さＨｃは、ユーザーＸの腹部Ｘｂの位置程度の高さであり、例えば、床から８０ｃｍ程度である（図２）。そして、このＬＣＤ表示部Ｍの画面の垂線ＺＬは、例えば、水平方向（床面と平行な方向）に対して２０度傾いている。
【００５９】
ここで、例えば、写真の撮影時にメイン(トップ)ライトであるストロボユニットＳの光ＳＦによりできるユーザーＸの首下Ｘａの影が目立ち、写真の仕上がりとしては良くない（図３）。
【００６０】
しかし、図３に示すように、ユーザーＸの頭部の高さに位置するカメラＣよりも下にＬＣＤ表示部Ｍが配置されており、撮影時にはこのＬＣＤ表示部Ｍから補助光ＭＬが出射され、ＬＣＤ表示部Ｍから出射した光ＭＬにより、ユーザーＸの首下Ｘａが照射される。
【００６１】
これにより、ユーザーＸの首下Ｘａの影を消して、撮影した写真の仕上がりを向上させて、再撮影の確率を低減することができる。
【００６２】
次に、このような構成からなる写真撮影装置１００の作用について、図５Ａ、図５Ｂ、図６および図７により説明する。
【００６３】
ここで、図５Ａおよび図５ＢはストロボユニットＳとＬＣＤ表示部Ｍの作用を示す図である。また図６は、図１ないし図４に示す写真撮影装置１００におけるユーザーＸの写真撮影の制御フローの一例を示す図である。また、図７は、顔色と補助光との関係を示すテーブルである。
【００６４】
まず、ユーザーＸが写真撮影装置１００の出入口１００ｅから撮影空間１００ｇに入室する。
【００６５】
このとき、検知センサ１３はユーザーＸが入室したことを検知すると検知信号を制御部１１に出力する。
【００６６】
そして、上記検知信号により、制御部１１が起動して、カメラＣが撮影可能な状態にスタンバイするとともに、撮影空間１００ｇ内の定常光が点灯される。
【００６７】
さらに、制御部１１は、ＬＣＤ表示部Ｍの画面に、撮影に関する情報をユーザーＸに向けて表示し、同時にスピーカ２２から撮影ガイドに係るアナウンス音声が出力される。このように、ＬＣＤ表示部Ｍおよびスピーカ２２によるガイダンスが開始される。
【００６８】
そして、ユーザーＸは、ＬＣＤ表示部Ｍの画面に表示されたガイダンスを確認して、ユーザーＸは、撮影に関する所定の操作入力を行う。このとき、ユーザーＸは撮影メニューを選択し、例えばプリンタ１７を用いて顔画像情報をプリントするか、又はＷｉＦｉルータ４０を用いて顔画像情報を外部サーバへ送るか選択する。
【００６９】
次にユーザーＸは撮影モードを選択し、普通の撮影モードまたはきれい撮影モードのいずれかを選択する。
【００７０】
次にユーザーＸは、ユーザーＸの顔部分の位置程度の高さが、カメラＣの撮影の方向Ｚｃの中心の高さＨｂになるように、椅子Ｙの高さを所定の高さに調整する。その後、ユーザーＸは、撮像したい体勢にポージングする。
【００７１】
このとき、ＬＣＤ表示部Ｍに、カメラＣにより撮影されているユーザーＸの撮影動画（ライブビュー）が表示される。
【００７２】
これにより、ユーザーＸは、ＬＣＤ表示部Ｍの画面を見て、ポージングを確認することができる。
【００７３】
その後、ユーザーＸがＬＣＤ表示部Ｍの画面に表示される撮影開始ボタン（タッチパネルである入力装置１４の撮影開始ボタン）を操作する。
【００７４】
この間、制御部１１は、ＬＣＤ表示部ＭにカメラＣにより撮影されているユーザーＸの撮影動画（ライブビュー）を表示させている。
【００７５】
そして、制御部１１は、その後カメラＣによる写真の撮影を実行する。制御部１１は、カメラＣ、ストロボユニットＳおよびＬＣＤ表示部Ｍを制御して、ストロボユニットＳから光ＳＦをユーザーＸに対して照射するとともに、ＬＣＤ表示部Ｍから補助光ＭＬをユーザーＸに対して照射して、被写体であるユーザーＸの顔部分の撮影が実行される。
【００７６】
このときカメラＣによりユーザーＸの予備画像情報（静止画像情報）が得られる。この予備画像情報は制御部１１へ送られ、制御部１１の顔色認識部１１ａにおいてこの予備画像情報に基づいてユーザーＸの顔部分の顔色が認識される。
【００７７】
次に制御部１１は記憶部１６に予め格納されている顔色と補助光の発光色との関係を示すテーブルから、発光色決定部１１ｂにおいて顔色認識部１１ａにより認識された顔色に対応する補助光の発光色を決定する。
【００７８】
具体的には、記憶部１６には図７に示すように、一般的な顔部分の顔色と、この顔色が健康的な肌色となるよう定められたＬＣＤ表示部Ｍからの補助光ＭＬの発光色との関係を示すテーブルが格納されている。
【００７９】
例えば、顔部分の顔色がすでに健康的な肌色となっていれば、補助光ＭＬの発光色は白色系となり、顔部分の顔色が青白い場合、補助光ＭＬの発光色は赤味を帯びた色となる。
【００８０】
なお図７に示すテーブルにおいて、顔部分の顔色および発光色は、ＨＳＶ、Ｌａｂ、ＲＧＢ等の単位をもって表されている。
【００８１】
次に発光色決定部１１ｂにより、ＬＣＤ表示部Ｍからの補助光ＭＬの発光色を定めた後、顔画像入手部１１ｃによりストロボユニットＳからユーザーＸに対して光ＳＦを照射し、同時にＬＣＤ表示部Ｍから発光色決定部１１ｂで定めた発光色をもつ補助光ＭＬをユーザーＸに対して照射してカメラＣによりユーザーＸの顔画像情報を入手する。
【００８２】
この際、ＬＣＤ表示部Ｍは通常の表示モード（図５Ａ）から、照射モード（図５Ｂ）へ切り換わる。
【００８３】
この場合、複数回ショットを繰り返し、顔画像入手部１１ｃによりユーザーＸの顔画像情報を複数個入手することができる。
【００８４】
その後、顔画像入手部１１ｃで入手された複数の顔画像情報は、ＬＣＤ表示部Ｍへ送られてこのＬＣＤ表示部Ｍに表示され、ユーザーＸはＬＣＤ表示部Ｍ上の入力装置１４から所望の顔画像を選択する。
【００８５】
次に必要に応じてユーザーＸは、ＬＣＤ表示部Ｍの入力装置１４を操作して、ＬＣＤ表示部Ｍから照射される補助光ＭＬの発光色を補正することができる。
【００８６】
補助光ＭＬの発光色を補正した場合は、その後、顔画像入手部１１ｃにより、カメラＣ、ストロボユニットＳおよびＬＣＤ表示部Ｍが制御されて、ユーザーＸに対してストロボユニットＳから光ＳＦが照射され、同時にＬＣＤ表示部Ｍから補助光ＭＬが照射されて、カメラＣによりユーザーＸの顔画像を入手することができる。
【００８７】
次に制御部１１は、例えば、ＬＣＤ表示部Ｍの画面に、ユーザーＸにキャッシャー２３への料金を入金することを案内する旨の表示をさせる。
【００８８】
次いで、お金が投入されると、制御部１１は、キャッシャー２３において入金された金額のチェックを実行する。そして、キャッシャー２３において選択された写真サイズ、種類に応じた料金の精算を実行し、釣銭を返金口に排出することで、入金処理が完了する（ステップＳ１１）。
【００８９】
そして、ユーザーＸがプリンタ１７を用いる旨、選択した場合は、入金処理が完了すると、制御部１１は、画像処理済みの画像情報をプリンタ１７に出力し、プリンタ１７により写真のプリント出力を実行する。写真プリントが取出口１００ｃに排出されると、本処理は終了する。あるいはユーザーＸが外部サーバへ顔画像情報を送る旨、選択した場合は、顔画像情報をＷｉＦｉルータ４０を介して外部サーバへ送ることもできる。
【００９０】
以上のように、本実施の形態によれば、健康的な肌色をもつ顔画像を得ることができる。
【００９１】
＜第２の実施の形態＞
次に図８により本発明の第２の実施の形態について説明する。図８に示す第２の実施の形態は、写真撮影装置１００の動作フローが異なるのみであり、他は図１乃至図７に示す第１の実施の形態と略同一である。図８に示す第２の実施の形態において、図１乃至図７に示す第１の実施の形態と同一部分には同一符号を付して詳細な説明は省略する。
【００９２】
まず、ユーザーＸが写真撮影装置１００の出入口１００ｅから撮影空間１００ｇに入室する。
【００９３】
このとき、検知センサ１３はユーザーＸが入室したことを検知すると検知信号を制御部１１に出力する。
【００９４】
そして、上記検知信号により、制御部１１が起動して、カメラＣが撮影可能な状態にスタンバイするとともに、撮影空間１００ｇ内の定常光が点灯される。
【００９５】
さらに、制御部１１は、ＬＣＤ表示部Ｍの画面に、撮影に関する情報をユーザーＸに向けて表示し、同時にスピーカ２２から撮影ガイドに係るアナウンス音声が出力される。このように、ＬＣＤ表示部Ｍおよびスピーカ２２によるガイダンスが開始される。
【００９６】
そして、ユーザーＸは、ＬＣＤ表示部Ｍの画面に表示されたガイダンスを確認して、ユーザーＸは、撮影に関する所定の操作入力を行う。このとき、ユーザーＸは撮影メニューを選択し、例えばプリンタ１７を用いて顔画像情報をプリントするか、又はＷｉＦｉルータ４０を用いて顔画像情報を外部サーバへ送るか選択する。
【００９７】
次にユーザーＸは撮影モードを選択し、普通の撮影モードまたはきれい撮影モードのいずれかを選択する。
【００９８】
次にユーザーＸは、ユーザーＸの顔部分の位置程度の高さが、カメラＣの撮影の方向Ｚｃの中心の高さＨｂになるように、椅子Ｙの高さを所定の高さに調整する。その後、ユーザーＸは、撮像したい体勢にポージングする。
【００９９】
このとき、ＬＣＤ表示部Ｍに、カメラＣにより撮影されているユーザーＸの撮影動画（ライブビュー）が表示される。
【０１００】
これにより、ユーザーＸは、ＬＣＤ表示部Ｍの画面を見て、ポージングを確認することができる。
【０１０１】
その後、ユーザーＸがＬＣＤ表示部Ｍの画面に表示される撮影開始ボタン（タッチパネルである入力装置１４の撮影開始ボタン）を操作する。
【０１０２】
この間、制御部１１は、ＬＣＤ表示部ＭにカメラＣにより撮影されているユーザーＸの撮影動画（ライブビュー）を表示させている。
【０１０３】
次にカメラＣにより得られたユーザーＸの動画は予備画像情報として制御部１１へ送られ、制御部１１の顔色認識部１１ａにおいてこの予備画像情報に基づいてユーザーＸの顔部分の顔色が認識される。
【０１０４】
次に制御部１１は記憶部１６に予め格納されている顔色と補助光の発光色との関係を示すテーブルから、発光色決定部１１ｂにおいて顔色認識部１１ａにより認識された顔色に対応する補助光の発光色を決定する。
【０１０５】
具体的には、記憶部１６には図７に示すように、一般的な顔部分の顔色と、この顔色が健康的な肌色となるよう定められたＬＣＤ表示部Ｍからの補助光ＭＬの発光色との関係を示すテーブルが格納されている。
【０１０６】
例えば、顔部分の顔色がすでに健康的な肌色となっていれば、補助光ＭＬの発光色は白色系となり、顔部分の顔色が青白い場合、補助光ＭＬの発光色は赤味を帯びた色となる。
【０１０７】
なお図７に示すテーブルにおいて、顔部分の顔色および発光色は、ＨＳＶ、Ｌａｂ、ＲＧＢ等の単位をもって表されている。
【０１０８】
次に発光色決定部１１ｂにより、ＬＣＤ表示部Ｍからの補助光ＭＬの発光色を定めた後、顔画像入手部１１ｃによりストロボユニットＳからユーザーＸに対して光ＳＦを照射し、同時にＬＣＤ表示部Ｍから発光色決定部１１ｂで定めた発光色をもつ補助光ＭＬをユーザーＸに対して照射してカメラＣによりユーザーＸの顔画像情報を入手する。
【０１０９】
この際、ＬＣＤ表示部Ｍは通常の表示モード（図５Ａ）から、照射モード（図５Ｂ）へ切り換わる。
【０１１０】
この場合、複数回ショットを繰り返し、顔画像入手部１１ｃによりユーザーＸの顔画像情報を複数個入手することができる。
【０１１１】
その後、顔画像入手部１１ｃで入手された複数の顔画像情報は、ＬＣＤ表示部Ｍへ送られてこのＬＣＤ表示部Ｍに表示され、ユーザーＸはＬＣＤ表示部Ｍ上の入力装置１４から所望の顔画像を選択する。
【０１１２】
次に必要に応じてユーザーＸは、ＬＣＤ表示部Ｍの入力装置１４を操作して、ＬＣＤ表示部Ｍから照射される補助光ＭＬの発光色を補正することができる。
【０１１３】
補助光ＭＬの発光色を補正した場合は、その後顔画像入手部１１ｃにより、カメラＣ、ストロボユニットＳおよびＬＣＤ表示部Ｍが制御されて、ユーザーＸに対してストロボユニットＳから光ＳＦが照射され、同時にＬＣＤ表示部Ｍから補助光ＭＬが照射されて、カメラＣによりユーザーＸの顔画像を入手することができる。
【０１１４】
その後は、上述した第１の実施の形態と同様の動作を繰り返す。
【符号の説明】
【０１１５】
１００  写真撮影装置
１１  制御部
１１ａ  顔色認識部
１１ｂ  発光色決定部
１１ｃ  顔画像入手部
Ｃ  カメラ（撮影部）
１３  検知センサ
１４  入力装置
Ｍ  ＬＣＤ表示部（表示装置）
１６  記憶部
１７  プリンタ
２１  撮影窓
３１  Ｉ／Ｏ（Input/Output）ユニット
２２  スピーカ
２３  キャッシャー
４０  ＷｉＦｉルータ
Ｓ  ストロボユニット
【図１】
2019144323.tif 000003
【図２】
2019144323.tif 000004
【図３】
2019144323.tif 000005
【図４】
2019144323.tif 000006
【図５Ａ】
2019144323.tif 000007
【図５Ｂ】
2019144323.tif 000008
【図６】
2019144323.tif 000009
【図７】
2019144323.tif 000010
【図８】
2019144323.tif 000011